(57)【要約】    【課題】  所定の押圧により開口部の閉塞が解除され、押圧解除により閉塞する開閉栓機構を形成することができ、その栓体自体及びその栓体を用いた開閉栓機構の製造を共に効率良く行うことができる栓体及びその栓体を用いた開閉栓機構。    【解決手段】  栓体Ｐを、円筒状をなす支持部ＰＡと、その支持部ＰＡの先端部を閉塞する円板底部状をなす栓部ＰＢと、支持部ＰＡの基部に、径方向外方に張り出した環状のパッキング部ＰＣを設け、ゴム状弾性を有するエラストマー材料により一体状に形成する。キャップ部Ｑは、栓体Ｐを、両者の軸線方向及び先端側を揃えて収容した状態で、大径筒状部ＱＤの雌螺子部ＱＳを洗浄液ボトルＢの口部Ｂ１の外周側に設けられた雄螺子部Ｂ２に螺合させて締結する。【選択図】      図３
2007055654.tif 000002
【特許請求の範囲】
【請求項１】
支持部の所定方向一端部に栓部が位置する栓体であって、
前記栓部は、閉塞対象である開口部又はその周縁部に所定向きに圧接してその開口部を閉塞するものであり、
前記支持部は、前記栓部を前記開口部に対し所定方向一方に弾性的に支持するものであり、
前記栓部と支持部は、ゴム状弾性を有する材料からなり一体状をなすことを特徴とする栓体。
【請求項２】
上記支持部が、上記所定方向を軸心方向とする筒状をなすと共に、その所定方向一方の環状端部において実質上全周にわたり上記栓部を弾性的に支持するものである請求項１記載の栓体。
【請求項３】
上記支持部の所定方向他方の端部が開口し、筒状の支持部の両端の間の側壁部および／または栓部のうち閉塞対象である開口部又はその周縁部に圧接する部分よりも外周側の部分に、筒状の支持部の内部と外部を連通する連通孔を有する請求項２記載の栓体。
【請求項４】
上記支持部が円筒状をなし、上記栓部が、その支持部の所定方向一方の端部を閉塞する円板底部状をなし、栓部の外周部と支持部の所定方向一方の端部にわたる円環状角部の周方向複数箇所に、内外を連通する連通孔が設けられている請求項３記載の栓体。
【請求項５】
筒状をなす上記支持部の内側面および／または外側面に、上記所定方向の突条を１又は互いに周方向間隔を隔てて２以上有する請求項２、３又は４記載の栓体。
【請求項６】
上記支持部の所定方向他方の端部に、ゴム状弾性を有する材料からなる環状のパッキング部を、支持部と一体状に備える請求項１乃至５の何れかに記載の栓体。
【請求項７】
請求項１乃至６の何れかに記載の栓体が、底部に開口部を有する有底筒状のキャップ部内に、前記栓体の支持部の所定方向が、そのキャップ部の軸線方向となるように収容され、前記開口部が前記栓体の栓部により閉塞される開閉栓機構。
【発明の詳細な説明】
【技術分野】
【０００１】
本発明は、液体吐出用の開口部を開閉するための栓体及びその栓体を用いた開閉栓機構に関する。
【背景技術】
【０００２】
特表２００３−５０６１１０号公報（特許文献１）には、液体を保持するタンクと、 前記タンクにユニバーサルジョイントで取り付けられたディスペンサと、 前記ディスペンサと開放連通している前記タンクに連結された液体移送管とを有し、前記液体移送管が前記ユニバーサルジョイントと絡み合うことを防止するために、前記液体移送管が前記ユニバーサルジョイント内に配置されている液体移送管用に保護された通路を有する掃除用具が記載されている。
【０００３】
このような液体保持タンク１３には、洗浄液等の液体を収容した洗浄液ボトルを、開口部を下向きにして嵌合させて使用するのが通常である。そのため、洗浄液ボトルの栓は、通常は洗浄液ボトルを下向きにしても栓が閉じていて洗浄液が漏出せず、タンク１３に下向きに嵌合させた状態においては栓が開いて洗浄液が流下し得る構造が採用されている。
【０００４】
この種の栓は、洗浄液ボトルをタンク１３に下向きに嵌合させることにより、タンク１３内の突起部が可動栓を押し上げて開口部の閉塞を解除するものであったが、開口部を有するキャップ、可動栓、パッキング、可動栓を付勢して開口を閉塞するためのバネ等の多数の部品により構成されるため、部品製造及び組み立てのコストが嵩む傾向にあった。
【特許文献１】特表２００３−５０６１１０号公報
【発明の開示】
【発明が解決しようとする課題】
【０００５】
本発明は、従来技術に存した上記のような課題に鑑み行われたものであって、その目的とするところは、所定の押圧により開口部の閉塞が解除され、押圧解除により閉塞する開閉栓機構を形成することができ、その栓体自体及びその栓体を用いた開閉栓機構の製造を共に効率良く行うことができる栓体及びその栓体を用いた開閉栓機構を提供することにある。
【課題を解決するための手段】
【０００６】
上記目的を達成する本発明の栓体は、
支持部の所定方向一端部に栓部が位置する栓体であって、
前記栓部は、閉塞対象である開口部又はその周縁部に所定向きに圧接してその開口部を閉塞するものであり、
前記支持部は、前記栓部を前記開口部に対し所定方向一方に弾性的に支持するものであり、
前記栓部と支持部は、ゴム状弾性を有する材料からなり一体状をなすことを特徴とする
【０００７】
支持部の所定方向一端部に位置する栓部が、支持部により所定方向一方に弾性的に支持されることにより、閉塞対象である開口部又はその周縁部に対し、栓部が圧接してその開口部が閉塞される。
【０００８】
このように開口部が栓部により圧接された状態において、開口部を通じて栓部を所定方向他方向きに押圧すると、支持部、又は支持部及び栓部が弾性的に変形して開口部の閉塞が解除される。押圧を解除すると、支持部、又は支持部及び栓部が弾性的に復元し、開口部又はその周縁部に対し栓部が圧接してその開口部が閉塞される。
【０００９】
このようにして、この栓体により開閉栓機構を形成することができる。栓体を構成する栓部と支持部は一体状をなすので、栓体自体の製造及びその栓体を用いた開閉栓機構の製造を共に効率良く行うことができる。
【００１０】
本発明の栓体は、上記支持部が、上記所定方向を軸心方向とする筒状をなすと共に、その所定方向一方の環状端部において実質上全周にわたり上記栓部を弾性的に支持するものであることが好ましい。
【００１１】
この場合、栓部を所定方向一方に弾性的に支持するための支持部が、その所定方向を軸心方向とする筒状をなし、筒状の支持部の所定方向一方の環状端部において実質上全周にわたり栓部を弾性的に支持するので、栓部が所定方向一方に環状に弾性的に支持され、栓体による開口部の閉塞がより効果的になる。
【００１２】
また本発明の栓体は、上記支持部の所定方向他方の端部が開口し、筒状の支持部の両端の間の側壁部および／または栓部のうち閉塞対象である開口部又はその周縁部に圧接する部分よりも外周側の部分に、筒状の支持部の内部と外部を連通する連通孔を有するものとすることができる。
【００１３】
この場合、栓部による開口部の閉塞が解除された状態において、対象流体が、筒状の支持部の所定方向他方の端部から、筒状の支持部の内部を通じ、連通孔を介して筒状の支持部の外部へ流れた後、開口部に達するものとすることができる。
【００１４】
また本発明の栓体は、上記支持部が円筒状をなし、上記栓部が、その支持部の所定方向一方の端部を閉塞する円板底部状をなし、栓部の外周部と支持部の所定方向一方の端部にわたる円環状角部の周方向複数箇所に、内外を連通する連通孔が設けられているものとすることができる。この場合、筒状の支持部の所定方向一方の環状端部は、周方向複数箇所に連通孔を有するが、実質上全周にわたり栓部を弾性的に支持することとなる。
【００１５】
また本発明の栓体は、筒状をなす上記支持部の内側面および／または外側面（内側面及び外側面の両方又は一方）に、上記所定方向の突条を１又は互いに周方向間隔を隔てて２以上有するものとすることが好ましい。筒状をなす支持部の内側面および／または外側面に、所定方向の突条を有することにより、支持部の所定方向の復元力及び変形に対する抵抗力を高め、閉塞対象である開口部又はその周縁部に対する栓部の圧接及びそれによる開口部の閉塞をより確実に行なうことができる。このような突条は、周方向に所定中心角毎に３以上配することが好ましい。また、突条は、筒状をなす支持部の所定方向全長にわたるものであることは必ずしも要しない。
【００１６】
また本発明の栓体は、上記支持部の所定方向他方の端部に、ゴム状弾性を有する材料からなる環状のパッキング部を、支持部と一体状に備えるものとすることができる。この場合、対象流体を供給する対象流体供給口に内部が連通するように筒状の支持部を連結する場合に、両者の連結箇所にパッキング部を介在させることにより、その連結箇所から対象流体が漏出することが防がれる。
【００１７】
本発明の開閉栓機構は、上記栓体が、底部に開口部を有する有底筒状のキャップ部内に、前記栓体の支持部の所定方向が、そのキャップ部の軸線方向となるように収容され、前記開口部が前記栓体の栓部により閉塞されるものである。
【発明の効果】
【００１８】
本発明の栓体及び開閉栓機構においては、支持部により所定方向一方に弾性的に支持されることにより、閉塞対象である開口部又はその周縁部に対し、栓部が圧接してその開口部が閉塞され、この状態で、開口部を通じて栓部を所定方向他方向きに押圧することにより、支持部、又は支持部及び栓部が弾性的に変形して開口部の閉塞が解除され、押圧を解除すると、支持部、又は支持部及び栓部が弾性的に復元し、開口部又はその周縁部に対し栓部が圧接してその開口部が閉塞される。
【００１９】
そのため、栓体により開閉栓機構を形成することができ、栓体を構成する栓部と支持部は一体状をなすので、栓体自体の製造及びその栓体を用いた開閉栓機構の製造を共に効率良く行うことができる。
【発明を実施するための最良の形態】
【００２０】
本発明の実施の形態を、図面に表した清掃用具の例を中心として説明する。
【００２１】
図１は、柄体の一部を省略した清掃用具の斜視図、図２は、柄体の一部を省略した清掃用具の前後方向断面図、図３及び図４は、洗浄液保持部による洗浄液ボトル保持態様を示す要部断面図である。図５乃至図８は栓体に関するものであって、図５は斜視図、図６は平面図、図７は縦断面図、図８は、図６におけるVIII-VIII線断面図である。
【００２２】
清掃用具Ｔは、清掃用ヘッドＨと、清掃用ヘッドＨの上側に基部が連結されている柄体Ｄを備える。
【００２３】
清掃用ヘッドＨは、平面等脚台形状（平面略長方形状等の適宜形状を選択し得る）の板状又は薄形箱形状のヘッド本体ＨＡと、そのヘッド本体ＨＡの下面全体をカバーするように下面側に取り付けられたエラストマー材料製の弾力性を有するクッション底部ＨＢからなる。清掃用ヘッドＨは短手方向が前後方向であり、清掃用ヘッドＨの平面等脚台形状を構成する平行な２辺のうち長い方の辺が前辺ＨＦ、短い方の辺が後辺ＨＲである。
【００２４】
ヘッド本体ＨＡの上部の前後における両側位置には、清掃用ヘッドＨの底面に配した清掃用シートＷの前後縁部付近を押し込んで保持するためのシート状縁部保持部が設けられている。シート状縁部保持部１２は、ゴム状材料製の複数の舌片間にシート状縁部を保持するものである。なお、清掃用シートＷ等を用いずに清掃用ヘッドの底面で直接清掃対象面を清掃するものとすることもできる。
【００２５】
ヘッド本体ＨＡの上側の横方向中央部における前後方向中央部よりもやや後側の位置（前後方向の中央から後端に向かってその間の５分の１乃至５分の２の間）に、外方突出部Ｊ３を有する回動連結部材ＪＡを介して柄体Ｄが連結されている。回動連結部材ＪＡは、ヘッド本体ＨＡに対し横方向の回動軸線の回りに回動可能なように連結されている。
【００２６】
回動連結部材ＪＡは、軸受筒状部ＪＢの周方向の１箇所（必ずしも１箇所に限らない）に、柄体Ｄの基部を連結するための、上部が略半円形板状で下部が方形板状（これに限らない）をなす外方突出部Ｊ３（なお、例えば外方突出部自体を柄体の基部とすることもできる）を有する。
【００２７】
柄体Ｄの基端部は、平行状に相対する支持突部ＤＡからなり、両支持突部ＤＡは、それぞれ略半円形板状（これに限らない）をなす。両支持突部ＤＡ間には縦断面略Ｕ字状の溝状間隙部Ｕが形成されている。この柄体Ｄの溝状間隙部Ｕに、外方突出部Ｊ３が平行状に挿入された状態で、両支持突部ＤＡと外方突出部Ｊ３が、回動連結部材ＪＡの回動軸線に直交する方向の連結軸Ｃにより連結されている。これにより、柄体Ｄは、回動連結部材ＪＡにおける軸受筒状部ＪＢの回動軸線のまわりに回動して前後方向ＲＡ−ＲＡの傾斜角度が可変であると共に、回動連結部材ＪＡに対し連結軸Ｃのまわりに左右方向ＲＢ−ＲＢに回動が可能なように連結されている。
【００２８】
柄体Ｄの中間部における後側には、洗浄液ボトルＢ（洗浄液に限るものではない）を、その口部Ｂ１側を下向きに嵌合させて保持するための、上方開口の洗浄液保持部Ｌを備える。
【００２９】
洗浄液ボトルＢの口部Ｂ１には、栓体Ｐとキャップ部Ｑからなる開閉栓機構が設けられている。
【００３０】
栓体Ｐは、円筒状をなす支持部ＰＡと、その支持部ＰＡの先端部を閉塞する円板底部状をなす栓部ＰＢと、支持部ＰＡの基部に、径方向外方に張り出した環状のパッキング部ＰＣを備え、ゴム状弾性を有するエラストマー材料により一体状に形成されている。栓部ＰＢは、支持部ＰＡにより、軸線方向先端向きに弾性的に支持される。
【００３１】
栓体Ｐの内面側には、支持部ＰＡの内面上部から支持部ＰＡの軸線と平行に内面下端に至り、更に栓部ＰＢの内面中央に至るリブＰＤ（突条）を、９０度中心角毎に４つ有する。なお、栓部が支持部側面を有する場合（例えば、栓部が板状をなし、その所定部分が支持部により支持されている場合）、栓部の支持部側面に突条が設けられることにより栓部の変形に対する抵抗力を高めることが好ましい。
【００３２】
また、栓部ＰＢの外周部と支持部ＰＡの先端部にわたる円環状角部におけるリブＰＤ同士の間毎の周方向４箇所に、内外を連通する連通孔ＰＥ（連通孔の位置は、支持部における筒状周壁や栓部における外周側部分の一方のみ又は両方のそれぞれに設けることもできる）が設けられている。パッキング部ＰＣは、その内周側が、基部側に突出した断面台形状の環状挿入部ＰＣ１により構成され、その環状挿入部ＰＣ１の外周側に、環状封止部ＰＣ２を有する。環状挿入部ＰＣ１には、貫通孔ＰＦが設けられている。尤も、このようなパッキング部ＰＣは、栓部及び支持部とは別に設けることもできる。
【００３３】
なお、本発明における栓体を構成する支持部の他の例としては、円筒若しくは多角形筒状等の筒状、リブで補強された円筒状以外の筒状、柱状、軸線方向に平行な柱状体が環状に配されたもの若しくはそれらの柱状体同士が互いに連結されたもの等を挙げることができる。支持部は、筒状（若しくは環状配置された柱状）とすることが好ましく、このような支持部による栓部の支持は、栓部のうち、閉塞対象である開口部に対応する部分を囲繞するような位置について行なうことが、開口部の閉塞をより確実なものとする上で好ましい。
【００３４】
キャップ部Ｑは、硬質のプラスチック材料により形成されており、基部側に大径筒状部ＱＤ、先端側に小径筒状部ＱＡ、両者の間に拡径環状平板部ＱＣを、同軸状に有する。大径筒状部ＱＤの内周側には雌螺子部ＱＳが形成されており、小径筒状部ＱＡの先端部には底部ＱＢを有する。
【００３５】
底部ＱＢは、中央部に貫通する吐出口ＱＥを有し、底部ＱＢの内面側のうち吐出口ＱＥの周縁部に、断面尖端状をなす環状突条ＱＦが設けられている。
【００３６】
拡径環状平板部ＱＣには、先端側に開口し基部側に突出する連通管部ＱＧが設けられている。
【００３７】
キャップ部Ｑに、栓体Ｐを、両者の軸線方向及び先端側の向きを揃えて収容し、連通管部ＱＧを貫通孔ＰＦに挿通させる。連通管部ＱＧには、空気抜きパイプＡ１の一端部が外嵌連結され、空気抜きパイプＡ１の他端部には、逆止弁Ａ２及び籠状保護部Ａ３が連結され、その逆止弁Ａ２は籠状保護部Ａ３内に保護されている。栓体Ｐの環状挿入部ＰＣ１の基端側（図３における上側）には、ストレーナＭが装着されている。ストレーナＭの装着は、拡径環状平板部ＱＣの基端側に設けられて環状挿入部ＰＣ１を貫通する突起（図示を略す）に、ストレーナＭの貫通孔（図示を略す）が嵌合することにより行なわれている。この状態で、空気抜きパイプＡ１、逆止弁Ａ２及び籠状保護部Ａ３を洗浄液ボトルＢ内に挿入すると共に、大径筒状部ＱＤの雌螺子部ＱＳを洗浄液ボトルＢの口部Ｂ１の外周側に設けられた雄螺子部Ｂ２に螺合させて締結させる。
【００３８】
この状態で、栓体Ｐの環状挿入部ＰＣ１の基部側が洗浄液ボトルＢの口部Ｂ１内に挿入され、環状封止部ＰＣ２が、口部Ｂ１の環状端面とキャップ部Ｑの大径筒状部ＱＤの内面外周部との間に挟圧され、且つ、栓体Ｐの栓部ＰＢのうち連通孔ＰＥよりも内方側の部分がキャップ部Ｑの底部ＱＢの環状突条ＱＦに軸線方向先端向きに圧接する。
【００３９】
これにより、洗浄液ボトルＢの口部Ｂ１とキャップ部Ｑの大径筒状部ＱＤと栓体Ｐの環状封止部ＰＣ２の間が封止されると共に、環状突条ＱＦが全周にわたり栓部ＰＢにより封止されて吐出口ＱＥが閉塞される。なお、栓部ＰＢによる吐出口ＱＥ（開口部）の閉塞は、このように、吐出口ＱＥの外周側に環状突条ＱＦ（円環状に限るものではない）を設け、その環状突条ＱＦを栓部ＰＢにより封止するものとすることが好ましいが、環状突条ＱＦを設けずにキャップ部Ｑの底部ＱＢに栓部ＰＢを圧接させることにより吐出口ＱＥを閉塞するものとすることもできる。
【００４０】
洗浄液保持部Ｌは、栓体Ｐを収容したキャップ部Ｑを口部Ｂ１に螺合させた洗浄液ボトルＢのキャップ部Ｑを嵌合保持するための嵌合保持部ＬＡを有する。
【００４１】
嵌合保持部ＬＡは、大径筒部ＬＢと、大径筒部ＬＢの上端開口部からやや下方に設けられた環状支持部ＬＣと、その環状支持部ＬＣの下側に設けられた、パッキング内周面ＬＤを備える中径保持部ＬＥと、中径保持部ＬＥの下側に設けられた小径連通部ＬＦと、小径連通部ＬＦの上端部の中央部に固定支持されて中径保持部ＬＥ内に上向きに突出した開栓突出部ＬＧと、開栓突出部ＬＧから下向きに突設されたガイド棒ＬＫと、ガイド棒ＬＫが挿入される下端閉塞のガイド穴（図示せず）を有し、ガイド棒ＬＫに案内されて往復動することにより小径連通部ＬＦの下端開口ＬＨを開閉する開閉栓ＬＩと、下端開口ＬＨを閉塞状態に維持するために開閉栓ＬＩを下向きに付勢する圧縮コイルバネＬＪを備える。開栓突出部ＬＧと開閉栓ＬＩとのガイド棒ＬＫ及び開閉栓ＬＩの上部は、圧縮コイルバネＬＪ内に挿通された状態で小径連通部ＬＦ内に位置する。
【００４２】
洗浄液ボトルＢの口部Ｂ１に螺合させたキャップ部Ｑは、大径筒状部ＱＤを大径筒部ＬＢに内嵌し、拡径環状平板部ＱＣを環状支持部ＬＣにより支持し、小径筒状部ＱＡを中径保持部ＬＥに内嵌した状態で、嵌合保持部ＬＡに嵌合保持される。この状態において、開栓突出部ＬＧは、吐出口ＱＥを通じて栓体Ｐの栓部ＰＢの中央を軸線方向基部側へ押圧する。この押圧により、栓部ＰＢによる吐出口ＱＥの封止が解除され、洗浄液ボトルＢ内の洗浄液が、栓体Ｐの支持部ＰＡ内を通じ、連通孔ＰＥを介して支持部ＰＡの外部へ流れ、キャップ部Ｑの小径筒状部ＱＡ内から吐出口ＱＥを経てキャップ部Ｑ外へ流出し得る状態となる。更に、開閉栓ＬＩが下端開口ＬＨの閉塞を解除すれば、洗浄液は、中径保持部ＬＥ及び小径連通部ＬＦを経て下端開口ＬＨから流出し得る。
【００４３】
洗浄液ボトルＢからの洗浄液の流出開始により、洗浄液ボトルＢ内は負圧状態になるので、逆止弁Ａ２が開き、連通管部ＱＧ及び空気抜きパイプＡ１を経て外部の空気が洗浄液ボトルＢ内に導入され、洗浄液が円滑に流出し得る。逆止弁Ａ２は、洗浄液非流出状態では、洗浄液が空気抜きパイプＡ１を介して漏出することを防止する。
【００４４】
洗浄液ボトルＢのキャップ部Ｑの嵌合保持部ＬＡに対する嵌合を解除して洗浄液保持部Ｌから洗浄液ボトルＢを取り外すと、栓体Ｐの栓部ＰＢに対する開栓突出部ＬＧの押圧が解除される。すると、栓部ＰＢを軸線方向に支持する支持部ＰＡの復元力を始めとする栓体Ｐの弾性的な復元力により、栓体Ｐの栓部ＰＢによるキャップ部Ｑの吐出口ＱＥの封止が回復する。支持部ＰＡが、栓部ＰＢの外周部全周を支持する円筒状をなすものであることによって、より良好な復元力と、栓部ＰＢによるキャップ部Ｑの吐出口ＱＥの全周にわたる確実な封止が実現される。また、栓体Ｐの支持部ＰＡの内面及び栓部ＰＢの内面にわたる４本のリブＰＤによって、支持部ＰＡを始めとする栓体Ｐの復元と栓部ＰＢによるキャップ部Ｑの吐出口ＱＥの封止が一層確実なものとなる。
【００４５】
柄体Ｄの上端には後方屈曲の把手ＤＢが設けられ、柄体Ｄにおける把手ＤＢの下側に洗浄液噴出操作のための操作レバーＤＣが設けられている。また柄体Ｄの基端部の前側に、洗浄液噴出部ＤＤが設けられている。操作レバーＤＣを把手ＤＢ側へ引くことにより、開閉栓ＬＩが押し上げられて下端開口ＬＨの閉塞が解除され、洗浄液保持部Ｌに保持した洗浄液ボトルＢ内の洗浄液が下端開口ＬＨから流出し、洗浄液噴出部ＤＤから噴出させることができる。
【００４６】
清掃を行なうには、清掃用ヘッドＨのクッション底部ＨＢの底面ＨＢ１を清掃用シートＷで覆った状態でその清掃用シートＷを清掃用ヘッドＨに保持する。その上で、清掃者は、必要に応じ操作レバーＤＣを引くことにより洗浄液を洗浄液噴出部ＤＤから噴出させて床面等の清掃対象面上に散布しつつ、柄体Ｄを把持して清掃対象面をクッション底部ＨＢの底面側に位置する清掃用シートＷにより拭いて清掃を行なう。
【図面の簡単な説明】
【００４７】
【図１】柄体の一部を省略した清掃用具の斜視図である。
【図２】柄体の一部を省略した清掃用具の前後方向断面図である。
【図３】洗浄液保持部による洗浄液ボトル保持態様を示す要部断面図である。
【図４】洗浄液保持部による洗浄液ボトル保持態様を示す要部断面図である。
【図５】栓体の斜視図である。
【図６】栓体の平面図である
【図７】栓体の縦断面図である
【図８】図６におけるVIII-VIII線断面図である
【符号の説明】
【００４８】
１２      シート状縁部保持部
Ａ１      空気抜きパイプ
Ａ２      逆止弁
Ａ３      籠状保護部
Ｂ        洗浄液ボトル
Ｂ１      口部
Ｂ２      雄螺子部
Ｃ        連結軸
Ｄ        柄体
ＤＡ      支持突部
ＤＢ      把手
ＤＣ      操作レバー
ＤＤ      洗浄液噴出部
Ｈ        清掃用ヘッド
ＨＡ      ヘッド本体
ＨＢ      クッション底部
ＨＢ１    底面
ＨＦ      前辺
ＨＲ      後辺
Ｊ３      外方突出部
ＪＡ      回動連結部材
ＪＢ      軸受筒状部
Ｌ        洗浄液保持部
ＬＡ      嵌合保持部
ＬＢ      大径筒部
ＬＣ      環状支持部
ＬＤ      パッキング内周面
ＬＥ      中径保持部
ＬＦ      小径連通部
ＬＧ      開栓突出部
ＬＨ      下端開口
ＬＩ      開閉栓
ＬＪ      圧縮コイルバネ
ＬＫ      ガイド棒
Ｍ        ストレーナ
Ｐ        栓体
ＰＡ      支持部
ＰＢ      栓部
ＰＣ      パッキング部
ＰＣ１    環状挿入部
ＰＣ２    環状封止部
ＰＤ      リブ
ＰＥ      連通孔
ＰＦ      貫通孔
Ｑ        キャップ部
ＱＡ      小径筒状部
ＱＢ      底部
ＱＣ      拡径環状平板部
ＱＤ      大径筒状部
ＱＥ      吐出口
ＱＦ      環状突条
ＱＧ      連通管部
ＱＳ      雌螺子部
Ｔ        清掃用具
Ｕ        溝状間隙部
Ｗ        清掃用シート
【図１】
2007055654.tif 000003
【図２】
2007055654.tif 000004
【図３】
2007055654.tif 000005
【図４】
2007055654.tif 000006
【図５】
2007055654.tif 000007
【図６】
2007055654.tif 000008
【図７】
2007055654.tif 000009
【図８】
2007055654.tif 000010